【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
プロセスカートリッジに用いられるドラムユニットにおいて、
軸線Ｌ１を持った感光ドラムと、
軸線Ｌ２を持ち、前記感光ドラムの端部に接続されたカップリング部材であって、前記カップリング部材の端部に向かって延びている突起を有するカップリング部材と、
を有し、
前記カップリング部材は、第１の位置と、前記第１の位置にある際よりも前記突起を前記感光ドラムに近づける第２の位置と、の間を前記軸線Ｌ２に沿って移動可能であり、
前記突起は、回転力を受けるための力受け部と、前記軸線Ｌ２の反対側に面する外面と、を有し、
前記外面の少なくとも一部は、前記感光ドラムから前記軸線Ｌ１の方向に遠ざかるにつれて前記軸線Ｌ２との距離を広げるように構成されることを特徴とするドラムユニット。
【請求項２】
前記突起の前記外面は、前記突起の先端において前記軸線Ｌ２からの距離をもっとも大きくすることを特徴とする請求項１に記載のドラムユニット。
【請求項３】
前記突起は、前記軸線Ｌ２に面する内面を有し、
前記内面の少なくとも一部は、前記感光ドラムから前記軸線Ｌ１の方向に遠ざかるにつれて前記軸線Ｌ２との距離を広げるように構成されることを特徴とする請求項１または２に記載のドラムユニット。
【請求項４】
前記突起の内面は、前記突起の先端において前記軸線Ｌ２からの距離をもっとも大きくすることを特徴とする請求項３に記載のドラムユニット。
【請求項５】
前記感光ドラムと同軸状の前記感光ドラムの端部に設けられたドラムフランジを有し、
前記カップリング部材は、前記ドラムフランジを介して前記感光ドラムの端部に接続されていることを特徴とする請求項１乃至４のいずれか１項に記載のドラムユニット。
【請求項６】
前記カップリング部材は、前記突起を複数有することを特徴とする請求項１乃至５のいずれか１項に記載のドラムユニット。
【請求項７】
前記カップリング部材は、前記軸線Ｌ２を前記軸線Ｌ１に平行に保ちつつ移動するように構成されていることを特徴とする請求項１乃至６のいずれか１項に記載のドラムユニット。
【請求項８】
前記カップリング部材は、前記軸線Ｌ２を前記軸線Ｌ１と同軸に保ちつつ移動するように構成されていることを特徴とする請求項１乃至７のいずれか１項に記載のドラムユニット。
【請求項９】
前記カップリングは、
前記軸線Ｌ２を持ち、前記突起を有する第１部分と、
軸線Ｌ３を持つ第２部分と、
を有し、
前記第２部分が第１部分に対して傾くことで前記第１部分が前記軸線Ｌ２に沿って移動することを特徴とする請求項１乃至７のいずれか１項に記載のドラムユニット。
【請求項１０】
前記第１部分が前記軸線Ｌ２に沿って移動することで、前記軸線Ｌ２と前記軸線Ｌ１の距離が変わることを特徴とする請求項９のいずれか１項に記載のドラムユニット。
【請求項１１】
プロセスカートリッジに用いられるドラムユニットにおいて、
軸線Ｌ１を持った感光ドラムと、
軸線Ｌ２を持ち、前記感光ドラムの端部に接続されたカップリング部材であって、前記軸線Ｌ２に沿って移動可能なカップリング部材と、
を有し、
前記カップリング部材は、前記感光ドラムから遠ざかる方向に延びる突起を有し、
前記突起は、前記軸線Ｌ２の反対側に面する外面であって、前記突起の先端に向かうにつれて前記軸線Ｌ２から遠ざかる外面を有し、
前記先端は、前記カップリング部材において前記感光ドラムからもっとも離れた部分であって、かつ、前記突起において前記軸線Ｌ２からもっとも離れた部分であることを特徴とするドラムユニット。
【請求項１２】
前記感光ドラムと同軸状の前記感光ドラムの端部に設けられたドラムフランジを有し、
前記カップリング部材は、前記ドラムフランジを介して前記感光ドラムに接続されていることを特徴とする請求項１１に記載のドラムユニット。
【請求項１３】
前記カップリング部材は、前記突起を複数有することを特徴とする請求項１１または１２に記載のドラムユニット。
【請求項１４】
前記カップリング部材は、前記軸線Ｌ２を前記軸線Ｌ１に平行に保ちつつ移動するように構成されていることを特徴とする請求項１１乃至１３のいずれか１項に記載のドラムユニット。
【請求項１５】
前記カップリング部材は、前記軸線Ｌ２を前記軸線Ｌ１と同軸に保ちつつ移動するように構成されていることを特徴とする請求項１１乃至１４のいずれか１項に記載のドラムユニット。
【請求項１６】
前記カップリングは、
前記軸線Ｌ２を持ち、前記突起を有する第１部分と、
軸線Ｌ３を持つ第２部分と、
を有し、
前記第２部分が第１部分に対して傾くことで前記第２部分が前記軸線Ｌ２に沿って移動することを特徴とする請求項１１乃至１４のいずれか１項に記載のドラムユニット。
【請求項１７】
前記第１部分が前記軸線Ｌ２に沿って移動することで、前記軸線Ｌ２と前記軸線Ｌ１の距離が変わることを特徴とする請求項１６に記載のドラムユニット。
【請求項１８】
プロセスカートリッジに用いられるドラムユニットにおいて、
軸線Ｌ１を持った感光ドラムと、
軸線Ｌ２を持ったカップリング部材であって、第１の端部と、前記感光ドラムの端部に接続されている第２の端部と、前記第１の端部と前記第２の端部とを繋ぐ接続部と、を有するカップリング部材と、
を有し、
前記第１の端部は、前記第２の端部とは反対側に面した窪んだ表面と、前記窪んだ表面の近傍の表面から突出している突起と、を有し、
前記カップリング部材は、第１の位置と、前記第１の位置にある際よりも前記突起を前記感光ドラムに近づける第２の位置と、の間を前記軸線Ｌ２に沿って移動可能であり、
前記突起は前記軸線Ｌ２の反対側に面する外面を有し、
前記外面の少なくとも一部は、前記感光ドラムから前記軸線Ｌ１の方向に遠ざかるにつれて前記軸線Ｌ２との距離を広げるように構成され、
前記接続部の少なくとも一部は、前記軸線Ｌ２からの距離が、前記外面と前記軸線Ｌ２の間の最長距離よりも短くなることを特徴とするドラムユニット。
【請求項１９】
前記突起の前記外面は、前記突起の先端において前記軸線Ｌ２からの距離をもっとも大きくすることを特徴とする請求項１８に記載のドラムユニット。
【請求項２０】
前記突起は、前記軸線Ｌ２に面する内面を有し、
前記内面の少なくとも一部は、前記感光ドラムから前記軸線Ｌ１の方向に遠ざかるにつれて前記軸線Ｌ２との距離を広げるように構成されることを特徴とする請求項１８又は１９に記載のドラムユニット。
【請求項２１】
前記突起の内面は、前記突起の先端において前記軸線Ｌ２からの距離をもっとも大きくすることを特徴とする請求項１８乃至２０のいずれか１項に記載のドラムユニット。
【請求項２２】
前記感光ドラムと同軸状の前記感光ドラムの端部に設けられたドラムフランジを有し、
前記カップリング部材は、前記ドラムフランジを介して前記感光ドラムの端部に接続されていることを特徴とする請求項１８乃至２１のいずれか１項に記載のドラムユニット。
【請求項２３】
前記カップリング部材は、前記突起を複数有することを特徴とする請求項１８乃至２２のいずれか１項に記載のドラムユニット。
【請求項２４】
前記カップリング部材は、前記軸線Ｌ２を前記軸線Ｌ１に平行に保ちつつ移動するように構成されていることを特徴とする請求項１８乃至２３のいずれか１項に記載のドラムユニット。
【請求項２５】
前記カップリング部材は、前記軸線Ｌ２を前記軸線Ｌ１と同軸に保ちつつ移動するように構成されていることを特徴とする請求項１８乃至２４のいずれか１項に記載のドラムユニット。
【請求項２６】
前記カップリングは、
前記軸線Ｌ２を持ち、前記突起を有する第１部分と、
軸線Ｌ３を持つ第２部分と、
を有し、
前記第２部分が第１部分に対して傾くことで前記第１部分が前記軸線Ｌ２に沿って移動することを特徴とする請求項１８乃至２４のいずれか１項に記載のドラムユニット。
【請求項２７】
前記第１部分が前記軸線Ｌ２に沿って移動することで、前記軸線Ｌ２と前記軸線Ｌ１の距離が変わることを特徴とする請求項２６に記載のドラムユニット。
【請求項２８】
ドラムユニットと、前記ドラムユニットが着脱可能である装置本体と、を有する画像形成装置であって、
前記ドラムユニットは、
軸線Ｌ１を持った感光ドラムと、
軸線Ｌ２を持ち、前記感光ドラムの端部に接続されたカップリング部材であって、第１の位置と、前記第１の位置よりも前記感光ドラムに近づく第２の位置と、の間を前記軸線Ｌ２に沿って移動可能なカップリング部材と、
を有し、
前記装置本体は、
前記ドラムユニットを装着するための開口と、
前記カップリング部材に駆動力を伝達すべく、前記カップリング部材にカップリング可能な駆動軸と、
前記開口を通してみた際に、前記駆動軸の近傍かつ前記駆動軸の後方に配置されたカップリングガイドと、
を有し、
前記カップリング部材は、前記ドラムユニットが前記装置本体から取り外される際に前記カップリングガイドにガイドされることを特徴とする画像形成装置。
【請求項２９】
前記カップリング部材は、前記カップリングガイドにガイドされながら前記軸線Ｌ２に沿って移動することを特徴とする請求項２８に記載の画像形成装置。
【請求項３０】
前記カップリング部材は、前記第１の位置から前記第２の位置へ移動することで前記駆動軸とのカップリングを解消することを特徴とする請求項２８または２９に記載の画像形成装置。
【請求項３１】
前記ドラムユニットの取り外し方向における前記カップリング部材の上流側が前記カップリングガイドにガイドされることを特徴とする請求項２８乃至３０のいずれか１項に記載の画像形成装置。
【請求項３２】
前記カップリング部材は、前記駆動軸から回転力を受けるための回転力受け部が設けられ、かつ、前記カップリング部材の端部に向かって延びている突起を有し、
前記突起が前記カップリングガイドにガイドされることを特徴とする請求項２８乃至３１のいずれか１項に記載の画像形成装置。
【請求項３３】
前記突起は、前記駆動軸から回転力を受けるための力受け部と、前記軸線Ｌ２の反対側に面する外面と、を有し、
前記外面の少なくとも一部は、前記感光ドラムから前記軸線Ｌ１の方向に遠ざかるにつれて前記軸線Ｌ２との距離を広げるように構成されることを特徴とする請求項３２に記載の画像形成装置。
【請求項３４】
前記前記外面の前記少なくとも一部が、前記カップリングガイドにガイドされることを特徴とする請求項３３に記載の画像形成装置。
【請求項３５】
前記カップリングガイドは、前記駆動軸の軸線に対して傾斜し前記駆動軸に面した傾斜部を有し、前記傾斜部が前記カップリング部材をガイドすることを特徴とする請求項２８乃至３４のいずれか１項に記載の画像形成装置。
【請求項３６】
前記ドラムユニットは、プロセスカートリッジの一部として前記装置本体に着脱されることを特徴とする請求項２８乃至３５のいずれか１項に記載の画像形成装置。
【請求項３７】
前記プロセスカートリッジは、前記ドラムユニットを回転可能に支持する枠体を有することを特徴とする請求項３６に記載の画像形成装置。
【請求項３８】
前記プロセスカートリッジは、前記枠体に対して移動可能な操作部材を有し、
前記操作部材が移動することによって前記カップリング部材が前記軸線Ｌ２に沿って移動することを特徴とする請求項３７に記載の画像形成装置。
【請求項３９】
前記操作部材は、前記枠体から離れる方向に向かって延びていることを特徴とする請求項３８に記載の画像形成装置。
【請求項４０】
前記操作部材が前記枠体に対して回転することで、前記カップリング部材が前記軸線Ｌ２に沿って移動するように構成されていることを特徴とする請求項３８又は３９に記載の画像形成装置。
【請求項４１】
前記軸線Ｌ１の方向における前記枠体の端部に前記操作部材が配置されていることを特徴とする請求項３８乃至４０のいずれか１項に記載の画像形成装置。
【請求項４２】
画像形成装置の装置本体に着脱可能なドラムユニットであって、
前記ドラムユニットは、
軸線Ｌ１を持った感光ドラムと、
軸線Ｌ２を持ち、前記感光ドラムの端部に接続されたカップリング部材であって、第１の位置と、前記第１の位置にある際よりも前記感光ドラムに近づく第２の位置と、の間を前記軸線Ｌ２に沿って移動可能なカップリング部材と、
を有し、
前記装置本体は、前記ドラムユニットを装着するための開口と、前記カップリング部材に駆動力を伝達すべく、前記カップリング部材にカップリング可能な駆動軸と、前記開口を通してみた際に、前記駆動軸の近傍かつ前記駆動軸の後方に配置されたカップリングガイドと、を有するものであって、
前記カップリング部材は、前記ドラムユニットが前記装置本体から取り外される際に前記カップリングガイドにガイドされることを特徴とするドラムユニット。
【請求項４３】
前記カップリング部材は、前記カップリングガイドにガイドされながら前記軸線Ｌ２に沿って移動することを特徴とする請求項４２に記載のドラムユニット。
【請求項４４】
前記カップリング部材は、前記第１の位置から前記第２の位置へ移動することで前記駆動軸とのカップリングを解消することを特徴とする請求項４２または４３に記載のドラムユニット。
【請求項４５】
前記ドラムユニットの取り外し方向における前記カップリング部材の上流側が前記カップリングガイドにガイドされることを特徴とする請求項４２乃至４４のいずれか１項に記載のドラムユニット。
【請求項４６】
前記カップリング部材は、前記駆動軸から回転力を受けるための回転力受け部が設けられ、かつ、前記カップリング部材の端部に向かって延びている突起を有し、
前記突起が前記カップリングガイドにガイドされることを特徴とする請求項４２乃至４５のいずれか１項に記載のドラムユニット。
【請求項４７】
ドラムユニットと、前記ドラムユニットが着脱可能である装置本体と、を有する画像形成装置であって、
前記ドラムユニットは、
軸線Ｌ１を持った感光ドラムと、
軸線Ｌ２を持ち、前記感光ドラムの端部に接続されたカップリング部材であって、第１の位置と、前記第１の位置にある際よりも前記感光ドラムに近づく第２の位置と、の間を前記軸線Ｌ２に沿って移動可能なカップリング部材と、
を有し、
前記装置本体は、
前記ドラムユニットを装着するための開口と、
前記カップリング部材に駆動力を伝達すべく、前記カップリング部材にカップリング可能な駆動軸と、
前記開口を通してみた際に、前記駆動軸の近傍かつ前記駆動軸の後方に配置されたカップリングガイドと、
を有し、
前記カップリング部材は、前記ドラムユニットが前記装置本体に装着される際に前記カップリングガイドにガイドされることを特徴とする画像形成装置。
【請求項４８】
前記カップリング部材は、前記カップリングガイドにガイドされながら前記軸線Ｌ２に沿って移動することを特徴とする請求項４７に記載の画像形成装置。
【請求項４９】
前記カップリング部材は、前記第２の位置から前記第１の位置へ移動することで前記駆動軸とカップリングすることを特徴とする請求項４７または４８に記載の画像形成装置。
【請求項５０】
前記ドラムユニットの装着方向における前記カップリング部材の下流側が前記カップリングガイドにガイドされることを特徴とする請求項４７乃至４９のいずれか１項に記載の画像形成装置。
【請求項５１】
前記カップリング部材は、前記駆動軸から回転力を受けるための回転力受け部が設けられ、かつ、前記カップリング部材の端部に向かって延びている突起を有し、
前記突起が前記カップリングガイドにガイドされることを特徴とする請求項４８乃至５０のいずれか１項に記載の画像形成装置。
【請求項５２】
前記突起は、前記駆動軸から回転力を受けるための力受け部と、前記軸線Ｌ２の反対側に面する外面と、を有し、
前記外面の少なくとも一部は、前記感光ドラムから前記軸線Ｌ１の方向に遠ざかるにつれて前記軸線Ｌ２との距離を広げるように構成されることを特徴とする請求項５１に記載の画像形成装置。
【請求項５３】
前記前記外面の前記少なくとも一部が、前記カップリングガイドにガイドされることを特徴とする請求項５２に記載の画像形成装置。
【請求項５４】
前記カップリングガイドは、前記駆動軸の軸線に対して傾斜し前記駆動軸に面した傾斜部を有し、前記傾斜部が前記カップリング部材をガイドすることを特徴とする請求項４７乃至５３のいずれか１項に記載の画像形成装置。
【請求項５５】
前記ドラムユニットは、プロセスカートリッジの一部として前記装置本体に着脱されることを特徴とする請求項４７乃至５４のいずれか１項に記載の画像形成装置。
【請求項５６】
前記プロセスカートリッジは、前記ドラムユニットを回転可能に支持する枠体を有することを特徴とする請求項５５に記載の画像形成装置。
【請求項５７】
前記プロセスカートリッジは、前記枠体に対して移動可能な操作部材を有し、
前記操作部材が移動することによって前記カップリング部材が前記軸線Ｌ２に沿って移動することを特徴とする請求項５６に記載の画像形成装置。
【請求項５８】
前記操作部材は、前記枠体から離れる方向に向かって延びていることを特徴とする請求項５７に記載の画像形成装置。
【請求項５９】
前記操作部材が前記枠体に対して回転することで、前記カップリング部材が前記軸線Ｌ２に沿って移動するように構成されていることを特徴とする請求項５７または５８に記載の画像形成装置。
【請求項６０】
前記軸線Ｌ１の方向における前記枠体の端部に前記操作部材が配置されていることを特徴とする請求項５７乃至５９のいずれか１項に記載の画像形成装置。
【請求項６１】
画像形成装置の装置本体に着脱可能なドラムユニットであって、
前記ドラムユニットは、
軸線Ｌ１を持った感光ドラムと、
軸線Ｌ２を持ち、前記感光ドラムの端部に接続されたカップリング部材であって、第１の位置と、前記第１の位置にある際よりも前記感光ドラムに近づく第２の位置と、の間を前記軸線Ｌ２に沿って移動可能なカップリング部材と、
を有し、
前記装置本体は、前記ドラムユニットを装着するための開口と、前記カップリング部材に駆動力を伝達すべく、前記カップリング部材にカップリング可能な駆動軸と、前記開口を通してみた際に、前記駆動軸の近傍かつ前記駆動軸の後方に配置されたカップリングガイドと、を有し、
前記カップリング部材は、前記ドラムユニットが前記装置本体に装着される際に前記カップリングガイドにガイドされることを特徴とするドラムユニット。
【請求項６２】
前記カップリング部材は、前記カップリングガイドにガイドされながら前記軸線Ｌ２に沿って移動することを特徴とする請求項６１に記載のドラムユニット。
【請求項６３】
前記カップリング部材は、前記第２の位置から前記第１の位置へ移動することで前記駆動軸とカップリングすることを特徴とする請求項６１または６２に記載のドラムユニット。
【請求項６４】
前記ドラムユニットの装着方向における前記カップリング部材の下流側が前記カップリングガイドにガイドされることを特徴とする請求項６１乃至６３のいずれか１項に記載のドラムユニット。
【請求項６５】
前記カップリング部材は、前記駆動軸から回転力を受けるための回転力受け部が設けられ、かつ、前記カップリング部材の端部に向かって延びている突起を有し、
前記突起が前記カップリングガイドにガイドされることを特徴とする請求項６１乃至６４のいずれか１項に記載のドラムユニット。
【請求項６６】
ドラムユニットと、前記ドラムユニットが着脱可能である装置本体と、を有する画像形成装置であって、
前記ドラムユニットは、
軸線Ｌ１を持った感光ドラムと、
軸線Ｌ２を持ち、前記感光ドラムの端部に接続されたカップリング部材であって、前記カップリング部材の端部に向かって延びている突起を有するカップリング部材と、
を有し、
前記装置本体は、
前記ドラムユニットを装着するための開口と、
前記カップリング部材に駆動力を伝達すべく、前記カップリング部材にカップリング可能な駆動軸と、
前記開口を通してみた際に、前記駆動軸の近傍かつ前記駆動軸の後方に配置されたカップリングガイドと、
を有し、
前記カップリング部材は、第１の位置と、前記第１の位置にある際よりも前記突起を前記感光ドラムに近づける第２の位置と、の間を前記軸線Ｌ２に沿って移動可能であって、
前記突起は、前記駆動軸から回転力を受けるための回転力受け部と、前記軸線Ｌ２に面する内面を有し、
前記内面の少なくとも一部は、前記感光ドラムから前記軸線Ｌ１の方向に遠ざかるにつれて前記軸線Ｌ２との距離を広げるように構成され、
前記内面が前記駆動軸と接触しつつ、前記カップリング部材が前記第１の位置から前記第２の位置へ移動することを特徴とする画像形成装置。
【請求項６７】
前記内面の前記少なくとも一部が前記駆動軸と接触しつつ、前記カップリング部材が前記第２の位置へ移動することを特徴とする請求項６６に記載の画像形成装置。